(57)【要約】【課題】食事に合わせての一日３回の服用或いは服用者の状態に合わせた一日に服用する複数の錠剤をパッケージ８にセットし夜の服用後にパッケージを差し替えることで明日の一日分の服用数を確保でき、ＰＴＰをパッケージにセットした分を一週間二週間とセットしておけば良いのでは。【解決手段】ＰＴＰから一錠ずつ取り出して飲むと、どの薬を飲んだのか分からない事が多く本器具で一回の服用分を一度で揃えば、飲み忘れ重複飲用避けるしＰＴＰの誤飲防止になる。【選択図】図２
2012095892.tif 000002
【特許請求の範囲】
【請求項１】
中空の箱形に形成し中空箱の上面に破断誘導用３の突き刺し穴を図１の配列に並べ設置し中空箱の上面左右にパッケージ誘導溝４を設置しパッケージ８を差込む、パッケージ８に粘着を貼りＰＴＰの円形突き出し側を上向きにし誘導溝４に差し込む、押し下げレバー１の一端に貫通孔９を備え主軸７を当該貫通孔９に挿通し押し下げレバー１が移動可能な状態にし、主軸７を中空箱一端の対面に固定し、押し下げレバー１に押し出し棒部材２を上面の破断誘導穴３の配列と等しい角度に下向きに押し下げレバーに固定し、押し下げレバーを湾曲にし上面の外方に向かってなることで、押し下げレバー１が常に棒部材２（２Ａ）を支点に押し下げレバーを持ち上げた状態に保持する、押し下げレバーを押し下げるとレバーに固定している押し出し棒部材２の押圧力で配列のＰＴＰ包装の錠剤を一錠ずつ押し出す、薬の飲み忘れ重複飲用ＰＴＰ誤飲用防止器
【請求項２】
前期の錠剤取出し器に付属したパッケージ８に破断誘導穴３と同じ位置に穴をあけて、穴の周囲の平面に両面テープを貼り付ける、フイルムを剥がして粘着側にＰＴＰの円形突き出し側をパッケージの穴から挿し入れ、ＰＴＰの周囲平面側に粘着させ、朝、昼、夜、等の錠剤投与にパッケージに空白部ができると、空白部の粘着部分でより一層パッケージを安定できる、請求項１に記載の錠剤取出し器の付属パッケージ
【発明の詳細な説明】
【技術分野】
【０００１】
本発明は薬の飲み忘れや重複飲用、ＰＴＰ包装シートの誤飲を防ぎ錠剤の朝、昼、夜と食事毎に錠剤を取り出して使用する、器具に関するものである。
【背景技術】
【０００２】
従来からの薬収納管理には薬整理ケース、壁掛けカレンダー式や、タイマーでの警告機など種類も多様であるしＰＴＰの１錠分ずつに切り離しが出来ないようにしている。
【０００３】
一般に錠剤および薬剤を封入したカプセルを以下「錠剤」というは、その複数個を一枚のシール状に包装して供給されている。
【０００４】
その包装は透明な塩化ビニールを凹ました水泡状の中に錠剤を入れて、片面をアルミ箔でシートした包装形態の一般に「ＰＴＰ包装」と呼ぶもので、透明で円形に突き出している塩化ビニール側を指先で押圧することで、錠剤が反対側のアルミ箔を破って飛び出しこれを取り出すことができる。
【先行技術文献】
【特許文献】
【０００５】
【特許文献１】特許公開２００９−２５５９６６
【特許文献２】実用新案第３０４５７０１号公報
【特許文献３】実用開７−３７１８３号公報
【特許文献４】実用公開平６−８３０２９
【発明の概要】
【発明が解決しようとする課題】
【０００６】
薬を飲んで治す病気と治りはしないが、飲まないと体調が悪くなる場合がある。高血圧や糖尿病等々では生涯に亘って薬と付き合わなくてはならない、食事毎に薬を飲む人にとって薬の保管管理は重要なことであり、うっかり飲み忘れや重複飲用、ＰＴＰ包装の誤飲等が起きている問題がある。
【０００７】
現在、薬局或いは医療機関等から支給される錠剤は適数個の錠剤を包装収納した錠剤パッケージの形で供給され、服用者はそれから錠剤を取り出して服用している。上記錠剤パッケージにおける錠剤は、食事時間との関係で、朝、昼、夜の食後等に服用している、服用すべき錠剤は複種類にわたる場合も多く、面倒くさく、又手や指などに障害のある人や老齢者などには容易ではない。
【０００８】
上記錠剤パッケージはＰＴＰシート等のように同一の錠剤が多数個包装収納されているため、服用者自身が特定された日時に定まった錠剤を服用したのか或いは忘れているのかを把握することができなかったことにその一因があった。
【０００９】
そのため、服用する前に錠剤に対応するパッケージを分割線を利用して個人個人に切り離してセットするとか、錠剤パッケージの所定箇所に日時等を記入するとか、して個人個人の管理に任せているという問題があった。
【００１０】
上記したように、服用者によっては錠剤の飲み忘れ或いは重複投与を避けるために、核ＰＴＰシートを服用前に予め切り離すことで対応しようとすることになるが、切り離されたＰＴＰシートを錠剤ごと服用してしまうことが、２５年間に６３５件の症例が報告されている。錠剤毎に分割できることが問題となり、分割線を廃止しているＰＴＰシートが多くなってきている。
【００１１】
ＰＴＰ包装シールごと飲み込んでしまう事故防止に誤飲しないように、ＰＴＰ包装は一錠分ずつに切り離しが出来ないようにしている。旅行などの携帯時などに、ハサミで一錠分に切り離して持って行きこれが誤飲しやすいサイズであるため事故につながる元である、誤飲しても体内で溶ける素材やＸ線を透過しない素材などの研究をしているが？有効な手段はみつかっていないようである。
【課題を解決するための手段】
【００１２】
いかにＰＴＰ包装シールを一錠分に切り離さなく、特定された日時に定まった錠剤を服用し飲み忘れや重複飲用，又、毎日の服用を把握できるかが重要な問題点である。本発明はＰＴＰシートから一錠ずつ取り出すのではなく、一回の服用分を取り出す器具です。現在は薬局或いは医療機関等ではＰＴＰの錠剤を一つずつ取り出して朝、昼、夜と仕分けして袋を密封して、服用者に支給しているが、二重の手間で一度にＰＴＰシールにセットできれば衛生面にも良いのでは。
【発明の効果】
【００１３】
上記前提で図３の記載のようにパッケージ８に穴３をあけＰＴＰの固定位置としパッケージに両面テープでＰＴＰを粘着させ、朝、昼、夜と服用の順位に立てに錠剤を並べたパッケージを円形に突き出したほうを上に、図４の４にパッケージを差し込み図１の上面を厚い素材でパッケージと同様の位置に破断誘導用の突き刺し穴３を形成し、一回分の配列の上に押し下げレバーを移動させて押し下げレバーには押し出し棒部材２が固定されており、押し下げレバーが上面の外方向に湾曲し固めの弾力部材で作る、毎食直前に服用の錠剤があれば一錠、二錠と押し出し取り出した後は円形の突き出した部分が凹み確認でき、次のＰＴＰの上に押し出し棒部材の支点があり錠剤を全部押し出すと、押し下げレバーが上面と平行になる押し下げレバーは梃子の原理で棒部材がＰＴＰの一錠分ずつパチパチと音がして弾き出されることで、ゲーム感覚で気持ちよく使用でき本体を起して錠剤を取り出し服用できる、飲み忘れや重複投与を避ける、ＰＴＰの誤飲となる一錠分の切り離しも解決できる。本パッケージは記載の錠剤取り出し器に付属した発明で本取り出し器が無ければ使用価値がない。
（薬局或いは医療機関で個人別に錠剤の一日服用分が分割されてＰＴＰシート出来れば一日分のパッケージを差し替えるだけで解決する。）
【発明を実施するための形態】
【００１４】
中空の箱形に形成し中空箱の上面に破断誘導用３の突き刺し穴を図１の配列に並べ、中空箱の上面に左右の溝４にパッケージ８を差し込む４を設置し、パッケージ８の裏に両面テープを貼り付けフイルムをはがしてＰＴＰの円形突き出し側をパッケージの穴に裏から押入れ粘着させ、ＰＴＰ円形突き出し側を上向きにパッケージ誘導溝４に差し込む。押し下げレバー１の一端に貫通孔９を備え主軸７を当該貫通孔９に挿通し押し下げレバー１が移動可能な状態にする、主軸７を中空箱一端の対面に固定し押し下げレバー１に押し出し棒部材２を上面の破断誘導穴３の配列と等しい角度に下向きに固定し、押し下げレバーが軽い湾曲にし中空箱の上面の外方に向かって成る事で、押し下げレバー１が常に棒部材２（２Ａ）を支点に押し下げレバーを持ち上げた状態に保持する、押し下げレバー１をパッケージ８の朝、昼、夜の記号の所定位置に作動し押し下げレバー１を押し下げるとレバーに固定している押し出し棒部材２が配列のＰＴＰ錠剤包装の一錠ずつ押し出す、錠剤を小さな操作力で確実、スムーズに行うことができる本体を手前に起せば、錠剤取り出し口から取り出せる、薬の飲み忘れ重複飲用ＰＴＰ誤飲防止器
【実施例１】
【００１５】
本願発明の実施例について説明すると、この器具は薬の飲み忘れや重複飲用、ＰＴＰ包装シート誤飲を防止する器械で、服用する錠剤を一度に揃えることで飲み忘れや重複飲用防ぎ、ＰＴＰパッケージを切り離すことがないため誤飲を防止できる。
【図面の簡単な説明】
【００１６】
【図１】本体の上面図
【図２】本体の側面図
【図３】ＰＴＰパッケージ
【図４】本体の裏側面図
【図５】本体の裏実施側面図
【符号の説明】
【００１７】
（１）押し下げレバー
（２）押し出し棒部材（２Ａ）
（３）破断誘導穴
（４）パッケージ誘導溝
（５）錠剤取り出し口
（６）ＰＴＰシール
（７）押し下げレバーの主軸
（８）パッケージ
（９）押し下げレバー貫通孔
（１０）中空箱
【図１】
2012095892.tif 000003
【図２】
2012095892.tif 000004
【図３】
2012095892.tif 000005
【図４】
2012095892.tif 000006
【図５】
2012095892.tif 000007